(57)【要約】【課題】鋼板の厚みが大小異なったスチール製のロッカー等に組み付けるのに、ひとつの機種をもって対応することが可能な表示窓機構を提供する。【解決手段】表示窓機構３１は、基板を挟んで前後に対向する本体部６と前面枠部７とを、基板に形成された矩形状の開口部において結合することにより筐体が形成されている。前面枠部７は、基板の開口部に前面より嵌まる突壁部７１と、開口部の前面の開口縁上に被さる前縁部７２とを一体に備え、前縁部７２により囲まれる内側に矩形状の表示窓７０が形成される。本体部６は、前面枠部７の突壁部７１の外側に嵌合され基板の後面に達する長さの周壁部６７を有する。周壁部６７の上面部６７ａおよび下面部６７ｂの先端縁に、基板の開口部の横幅より短い幅の突縁部６９ａ，６９ｂが設けられている。【選択図】図９
2019107091.tif 000002
【特許請求の範囲】
【請求項１】
基板を挟んで前後に対向する本体部と前面枠部とを、前記基板に形成された矩形状の開口部において結合することにより筐体が形成され、前記前面枠部は、前記基板の開口部に前面より嵌まる突壁部と、前記開口部の前面の開口縁上に被さる前縁部とを一体に備え、前記前縁部により囲まれる内側に矩形状の表示窓が形成されており、前記本体部は、前記前面枠部の突壁部の外側に嵌合され前記基板の後面に達する長さの周壁部を有し、前記周壁部の上面部および下面部の先端縁に、前記基板の開口部の横幅より短い幅の突縁部が設けられてなる表示窓機構。
【請求項２】
前記本体部は、前記周壁部の内側に内壁部を有し、前記内壁部の前面の開口に透明板が固定されている請求項１に記載の表示窓機構。
【請求項３】
前記本体部は、上面にカード挿入口を有し、前記カード挿入口の下方の本体部内には、前記カード挿入口より挿入されたカードの表面が前記表示窓から視認可能なカード保持部を備えている請求項１または２に記載の表示窓機構。
【請求項４】
前記基板は、第１の基板と、第１の基板の厚みｄ１より大きい厚みｄ２（ｄ２＞ｄ１）を有する第２の基板とのいずれかであり、第２の基板の前記開口部の縦幅ｔ２は第１の基板の前記開口部の縦幅ｔ１より大きな値（ｔ２＞ｔ１）に設定され、前記前面枠部の突壁部の縦幅Ｔは第１の基板の前記開口部の縦幅ｔ１に合わせられ、前記本体部の上面部の突縁部と下面部の突縁部との間隔Ｘは前記第１の基板の前記開口部の縦幅ｔ１より大きく、第２の基板の前記開口部の縦幅ｔ２以下の値（ｔ１＜Ｘ≦ｔ２）に設定され、前記突縁部の突出長さＬは第１の基板の厚みｔ１と第２の基板の厚みｔ２との差（ｔ２−ｔ１）に合わせられている請求項１に記載の表示窓機構。
【発明の詳細な説明】
【技術分野】
【０００１】
この発明は、例えば、スチール製のロッカーなどに組み込まれ、ロッカーの使用状態を表示窓に表示するための表示窓機構に関する。
【背景技術】
【０００２】
会員制のスポーツクラブなどの施設には、会員の使用に供せられる複数台のロッカーが設置されている。会員は、いずれのロッカーも無料で使用できる。各ロッカーには、シリンダ錠やダイヤル錠などの錠が組み付けられており、ロッカーの使用者は、自らが使用するロッカーを施錠することが可能である。会員一人に１台のロッカーが割り当てられるが、一人が複数台のロッカーを専有すると、ロッカーが不足し、施設側はロッカーを増設する必要がある。
【０００３】
ダイヤル錠として、解錠符号列を使用者自らが設定できるタイプのダイヤル錠がある。この種のダイヤル錠が組み付けられたロッカーでは、使用しないにもかかわらず、解錠符号列が任意に設定されて施錠されるという悪質な悪戯が発生している。
【０００４】
上記の問題を解決するため、先般、各会員に１枚のカードを貸与し、そのカードがセットされた場合に限り、施錠操作が行えるようにしたロッカー用錠装置が提案された（例えば、特許文献１参照）。この種のカードの交付により会員一人に１台のロッカーが割り当てられることになり、ロッカー不足が解消され、また、悪戯の防止にも効果がある。
【０００５】
上記したロッカー用錠装置は、ダイヤル錠よりなる錠本体と、錠本体の施錠操作を規制するための施錠操作制御装置とからなる。ロッカーの扉には、把手の近傍位置に錠本体が、錠本体の近傍位置に施錠操作制御装置が、それぞれ組み付けられる。施錠操作制御装置は、カードがセットされていない状態のとき、ダイヤル錠のロックプレートの回動を規制し、カードがセットされた状態のとき、前記ロックプレートの回動の規制を解除するものである。施錠操作制御装置は、扉に形成された開口部に表示窓を設けるための表示窓機構を含んでいる。表示窓機構は、カードの挿入を受け付けるカード挿入口を備え、カードがセットされた状態を表示窓を通して視認することが可能になっている。表示窓よりカードが視認されるとき、そのロッカーは使用中であり、施錠操作が可能であることがわかる。
【先行技術文献】
【特許文献】
【０００６】
【特許文献１】特開２００１−７３６０８号公報
【発明の概要】
【発明が解決しようとする課題】
【０００７】
スチール製のロッカーは、種々の施設、事業所、学校などに設置されている。機械的な強度がそれほど要求されない場所では、薄い鋼板を用いて製作された軽量なロッカーが設置される。機械的な強度が要求される場所では、厚い鋼板を用いて製作された頑丈なロッカーが設置される。スチール製のロッカーに施錠操作制御装置の表示窓機構が組み付けられる場合、表示窓機構は扉の厚みに合わせた設計を行う必要があり、そのために、薄い鋼板製のロッカー用と、厚い鋼板製のロッカー用との２機種を用意する必要があり、在庫管理が煩雑となり、コスト高を招く要因となる。
【０００８】
この発明は、上記の問題に着目してなされたもので、鋼板の厚みが大小異なるスチール製のロッカー等に組み付けるのに、ひとつの機種をもって対応することが可能な表示窓機構を提供することを目的とする。
【課題を解決するための手段】
【０００９】
この発明による表示窓機構は、基板を挟んで前後に対向する本体部と前面枠部とを、前記基板に形成された矩形状の開口部において結合することにより筐体が形成される。前面枠部は、基板の開口部に前面より嵌まる突壁部と、開口部の前面の開口縁上に被さる前縁部とを一体に備え、前縁部により囲まれる内側に矩形状の表示窓が形成されている。本体部は、前面枠部の突壁部の外側に嵌合され前記基板の後面に達する長さの周壁部を有し、周壁部の上面部および下面部の先端縁に、基板の開口部の横幅より短い幅の突縁部が設けられている。
【００１０】
スチール製のロッカーの扉等に表示窓機構の筐体を組み付けるには、扉を構成している基板が薄い場合、前面枠部の突壁部を基板の開口部に前面より嵌合したとき、前面枠部の前縁部は開口部の前面の開口縁上に被さって表示窓が形成され、前面枠部の突壁部は基板の開口部に緊密に嵌合する。本体部の周壁部を前面枠部の突壁部の外側へ嵌入すると、周壁部の上面部および下面部の各突縁部が基板の後面に突き当たり、この状態で本体部と前面枠部とが結合される。
【００１１】
次に、扉等を構成している基板が厚い場合は基板の開口部の縦幅を大きくする。前面枠部の突壁部を基板の開口部に前面より嵌入すると、前面枠部の突壁部は基板の開口部に緩やかに嵌合し、突壁部の上面部および下面部と基板の開口縁との間にそれぞれ隙間が生じる。本体部の周壁部を前面枠部の突壁部の外側に嵌合したとき、周壁部の上面部および下面部の各突縁部は前記隙間に侵入し、この状態で本体部と前面枠部とが結合される。突縁部の突出長さを薄い基板の厚みと厚い基板の厚みとの差に合わせると、基板の前面から本体部の後端に至る長さは薄い基板の場合と同じとなる。
【００１２】
好ましい一実施態様においては、前記本体部は、周壁部の内側に内壁部を有し、内壁部の前面の開口に透明板が固定されている。
【００１３】
好ましい一実施態様においては、前記本体部は、上面にカード挿入口を有し、カード挿入口の下方の本体部内に、カード挿入口より挿入されたカードの表面が表示窓から視認可能なカード保持部を備えている。
【００１４】
具体的な実施態様を図１１〜図１３を参照して説明すると、前記基板は、第１の基板９１ａと、第１の基板９１ａの厚みｄ１より大きい厚みｄ２（ｄ２＞ｄ１）を有する第２の基板９１ｂとのいずれかであり、第２の基板９１ｂの開口部９４の縦幅ｔ２は第１の基板９１ａの開口部９４の縦幅ｔ１より大きな値（ｔ２＞ｔ１）に設定される（図１１（１）（２）参照）。前面枠部７の突壁部７１の縦幅Ｔは第１の基板９１ａの開口部９４の縦幅ｔ１に合わせられる（図１２（１）（２）参照）。本体部の上面部６７ａの突縁部６９ａと下面部６７ｂの突縁部６９ｂとの間隔Ｘは第１の基板９１ａの開口部９４の縦幅ｔ１より大きく、第２の基板９１ｂの開口部９４の縦幅ｔ２以下の値（ｔ１＜Ｘ≦ｔ２）に設定され、突縁部６９ａ，６９ｂの突出長さＬは第１の基板９１ａの厚みｔ１と第２の基板９１ｂの厚みｔ２との差（ｔ２−ｔ１）に合わせられている（図１２（１）〜（４）および図１３（１）（２）参照）。
【発明の効果】
【００１５】
この発明によると、鋼板の厚みが大小異なる２種類のスチール製のロッカー等に表示窓機構を組み付ける場合、ひとつの機種をもって対応することが可能である。
【図面の簡単な説明】
【００１６】
【図１】ロッカーの設置状態を示す正面図である。
【図２】未使用状態のロッカー用錠装置の主要部を示す正面図である。
【図３】使用状態のロッカー用錠装置の主要部を示す正面図である。
【図４】未使用状態のロッカー用錠装置を示す背面図である。
【図５】使用状態のロッカー用錠装置を示す背面図である。
【図６】（１）は未使用状態のロッカー用錠装置を示す側面図、（２）は使用状態のロッカー用錠装置を示す側面図である。
【図７】施錠操作制御装置を後方より見たときの斜視図である。
【図８】施錠操作制御装置を前方より見たときの斜視図である。
【図９】施錠操作制御装置の構成を示す分解斜視図である。
【図１０】施錠操作制御装置の構成を示す側面図である。
【図１１】（１）は薄い基板に形成される開口部の寸法を示す説明図、（２）は厚い基板に形成される開口部の寸法を示す説明図である。
【図１２】（１）は薄い基板の断面図、（２）は薄い基板に対する表示窓機構の組付状態を示す側面図、（３）は厚い基板の断面図、（４）厚い基板に対する表示窓機構の組付状態を示す側面図である。
【図１３】（１）は薄い基板に対する表示窓機構の組付状態を拡大して示す断面図、（２）は厚い基板に対する表示窓機構の組付状態を拡大して示す断面図である。
【図１４】規制機構の構成を示す斜視図である。
【発明を実施するための形態】
【００１７】
図１は、複数台のロッカー９が一列に設置された状態を示している。各ロッカー９にはロッカー用錠装置１が組み付けられている。ロッカー９はスチール製であり、ロッカー本体９０および扉９１は鋼板を素材して製作されている。ロッカー用錠装置１は、扉９１を施錠するための施錠機構を有する錠本体２と施錠操作制御装置３とで構成される。施錠操作制御装置３を構成する表示窓機構３１は、薄い鋼板により製作された軽量なロッカーと、厚い鋼板により製作された頑丈なロッカーのいずれにも対応できる構成のものである。
この実施形態は、機械的な強度がそれほど要求されない場所に設置されるもので、薄い鋼板により製作されたロッカー９が選択されて設置されているが、機械的な強度が要求される場所に設置される場合は、厚い鋼板により製作されたロッカーを選択して設置する。
【００１８】
施錠操作制御装置３は、錠本体２の施錠操作を規制するための規制機構５（図７（１）（２）および図１４参照）と、扉９１の前面に表示窓７０を形成するための表示窓機構３１を含んでいる。扉９１の前面を構成する基板９１ａには、把手９２の上方位置に、矩形状をなす開口部９３，９４がそれぞれ形成される。下側の開口部９３には錠本体２の筐体２０が、上側の開口部９４には表示窓機構３１の筐体３０が、それぞれ嵌め込まれて固定される。
この実施形態の表示窓機構３１は、施錠操作制御装置３を作動するためのカード８の挿入状態を表示するものであるが、これに限らず、種々の情報の表示に用いることが可能である。
【００１９】
この実施形態では、錠本体２としてダイヤル錠を用いているが、シリンダ錠を用いてもよい。錠本体２の筐体２０の前面側には前面プレートが装着され、前面プレート上に施錠機構を施錠、解錠動作させるための操作機構４が設けられている。錠本体２は、操作機構４を扉９１の前面に臨ませるようにして扉前面の基板９１ａに取り付けられる。操作機構４は、図２および図３に示すように、解錠符号列を揃えたり崩したりするのに操作される複数個（図示例では４個）のダイヤル４１と、後述するロックプレート２１を正逆各方向へ回動させるための撮み４２とを備えている。各ダイヤル４１は、複数個の符号（０〜９の数字）が一周配置された円筒部４１ａと、円筒部４１ａの一側に装着された円板状の操作部４１ｂとを備えている。操作部４１ｂの外周面は指が懸かり易くするために凹凸が設けられている。なお、図中、４３は円筒部４１ａの外周面の符号を表示させるダイヤル表示窓である。
【００２０】
図２は、ロッカー９が未使用の状態を示す、図３は、ロッカー９が使用されているときの状態を示している。未使用の状態では、４個のダイヤル４１は「０」の符号がダイヤル表示窓４３に現れており、錠本体２は解錠状態にある。使用者は、複数台のロッカー９のうち、いずれかの未使用のロッカー９を選択して使用する。
【００２１】
施錠操作制御装置３の表示窓機構３１は、後述するカード保持部６６に保持されたカード８の表面が視認可能な矩形状の表示窓７０を備えている。カード８は、施設の利用者に１枚ずつ交付されるもので、合成樹脂板により形成されている。ロッカー９を使用するに際し、扉９１を開けてカード８を表示窓機構３１のカード保持部６６にセットする。これによりロッカー９の使用が可能となり、操作機構４の撮み４２を回して施錠することができる。
【００２２】
図２に示す未使用の状態では、カード８がセットされていないので、表示窓７０は未表示の状態である。図３に示す使用状態では、カード８がセットされているので、表示窓７０にカード８の表面が現れている。カード８の表面には各カードに固有のカード番号８１が印刷されているので、表示窓７０を通してカード番号８１を視認することができ、セットされているカード８が適正なカードかどうか、すなわち、適正にロッカー９が使用されているかどうかや、カード番号８１から誰がロッカー９を使用しているかなどがわかる。
【００２３】
図２に示す未使用の状態のとき、図４に示すように、錠本体２が有するロックプレート２１は上方へ起立した状態にあり、ロッカー本体９０の側に取り付けられた受け金具９５に係合しておらず、扉９１を開閉することが可能である。
ロッカー９の使用者は、カード８をセットした後、各ダイヤル４１を操作して好みの解錠符号列（例えば、１２３４）を設定し、つぎに撮み４２を「開」の位置から「閉」の位置まで回す。このとき、設定された解錠符号列は記憶される。この撮み４２の回動操作によって、図５に示すように、ロックプレート２１が９０度回転して受け金具９５に係合するので、扉９１の開閉ができなくなる。図３は、撮み４２を回動操作した後の状態を示しており、各ダイヤル４１のダイヤル表示窓４３に、設定された解錠符号列（この場合、１２３４）を構成する符号が現れている。その後、ダイヤル操作して解錠符号列を崩すと、錠本体２は施錠状態となり、撮み４２を「閉」の位置から「開」の位置に戻すことができない。
【００２４】
錠本体２の筐体２０は合成樹脂製であり、内部に、ダイヤル錠の施錠機構（図示せず）が組み込まれている。この施錠機構は、ロッカー９の使用者が設定した解錠符号列を記憶し、設定された解錠符号列が崩されたときに施錠状態を生成し、解錠符号列が揃えられたときに解錠状態を生成するものである。このような機能を有するダイヤル錠の施錠機構は公知であり、ここでは図示並びに詳細な説明を省略する。
【００２５】
ダイヤル錠の施錠機構は、撮み４２の正逆回動操作に伴って回動する金属製のロックプレート２１を備えている。ロックプレート２１は、筐体２０の後部側に配設され、筐体２０の後面より突き出た駆動軸２２の先端に止着されている。施錠機構が解錠状態にあるときは、撮み４２を「開」から「閉」、または「閉」から「開」へ回動することが可能であり、ロックプレート２１は撮み４２の回動に伴って起伏動作する。施錠機構が施錠状態にあるときは、撮み４２を「閉」から「開」へ回動することができず、ロックプレート２１は、倒れた状態、すなわち受け金具９５に係合した状態が保持される。ロックプレート２１の先端部は鉤状になっており、受け金具９５は鉤状の先端部が引っ掛かる形態のものである。
【００２６】
施錠操作制御装置３の表示窓機構３１は筐体３０が合成樹脂製である。筐体３０は、図６に示されるように、基板９１ａを挟んで前後に対向する本体部６と前面枠部７とを、扉９１の基板９１ａの開口部９４において結合して形成される。なお、以下の説明において、図７（１）（２）中、矢印Ｐで示す方向を前後方向とする。
本体部６は、図７および図８に示すように、胴部６０の後面の開口にカバー部６１を被せて結合したものである。カバー部６１と胴部６０と前面枠部７とは、図９および図１０に示すように、複数本のネジ３６により一体化される。カバー部６１にはネジ通し孔３８が、胴部６０にも図示しないネジ通し孔が、前面枠部７にはネジ穴３７が、それぞれ形成されており、ネジ３６を上記の２つのネジ通し孔を通してネジ穴３７にねじ込むことにより、本体部６と前面枠部７とが一体化される。
【００２７】
前面枠部７は、扉９１の基板９１ａの開口部９４に前面より嵌まる突壁部７１と、開口部９４の前面の開口縁上に被さる前縁部７２とを一体に備えたものであり、前縁部７２により囲まれる内側に矩形状の表示窓７０が形成される。基板９１ａの開口部９４は、縦横の各幅ｔ１，ｓ１（図１１（１）に示す）が突壁部７１の外形寸法と一致するように形成されており、これにより突壁部７１は開口部９４に緊密に嵌合する。
【００２８】
胴部６０の上面には、カード挿入ガイド６２が一体形成されている。カード挿入ガイド６２は斜め上方へ突き出ている。カバー部６１の上面には、胴部６０のカード挿入ガイド６２と対向する位置に矩形状の切欠部６３が形成されている。切欠部６３にはカード支持板６４の上端部が支持されており、カード挿入ガイド６２とカード支持板６４との間にカード挿入口６５が形成される。カード支持板６４の上面は傾斜しており、カード挿入口６５より挿入されたカード８を支持するためのカード支持面６４ａになっている。カード挿入口６５の下方の胴部６０内の空間は、カード支持面６４ａ上に支持されたカード８を保持するカード保持部６６となっている（図６（２）参照）。カード保持部６６は表示窓７０に面しており、カード保持部６６によりカード８が保持された状態のとき、カード８の表面を表示窓７０より視認することができる。
【００２９】
カバー部６１の内部のカード支持板６４の背後位置には錠本体２の施錠操作を規制するための規制機構５が配備されている。カード支持板６４には規制機構５の検知片５４が出没する縦方向に長い貫通孔６４ｂが形成されている。なお、規制機構５については後述する。
【００３０】
本体部６の胴部６０は、前面枠部７の突壁部７１の外側へ嵌合され基板９１ａの後面に達する長さの周壁部６７と、周壁部６７の内側に周壁部６７に沿って一周する内壁部６８とを有している。内壁部６８の前面の開口には、表示窓７０に面する矩形状の透明板７３が固定されている。周壁部６７は、上面部６７ａ、下面部６７ｂ、および両側面部６７ｃ，６７ｄにより構成されている。上面部６７ａおよび下面部６７ｂの先端縁には、基板９１ａの開口部９４の横幅ｓ１より短い幅の突縁部６９ａ，６９ｂが一体に形成されている。
【００３１】
この実施形態の表示窓機構３１は、鋼板の厚みが大小異なる２種のロッカーのうち、薄い鋼板により製作されたロッカー９の扉９１の基板９１ａに取り付けられているが、厚い鋼板により製作されたロッカー９の扉９１の基板９１ｂにも取り付けられるものである。
【００３２】
いま、この実施形態の扉９１の前面の基板９１ａを「第１の基板９１ａ」とし、第１の基板９１ａの厚みｄ１（例えばｄ１＝０．８ｍｍ）より大きい厚みｄ２（例えばｄ２＝１．２ｍｍ）を有する他の基板を「第２の基板９１ｂ」とすると、図１１（１）（２）に示すように、第２の基板９１ｂの開口部９４の縦幅ｔ２は第１の基板９１ａの開口部９４の縦幅ｔ１より大きな値（ｔ２＞ｔ１）、例えばｔ１＝５７．５ｍｍ、ｔ２＝６１．６ｍｍに設定する。なお、第１、第２の各基板９１ａ，９１ｂの開口部９４の横幅ｓ１，ｓ２は同じ値、例えばｓ１＝ｓ２＝７２ｍｍに設定する。
【００３３】
前面枠部７の突壁部７１の縦幅Ｔは、図１２（１）に示すように、第１の基板９１ａの開口部９４の縦幅ｔ１に合わせてある。第１、第２の各基板９１ａ，９１ｂの開口部９４の縦幅ｔ１，ｔ２は、ｔ１＜ｔ２であるから、Ｔ＜ｔ２となる。前面枠部７の突壁部７１の横幅は、第１、第２の各基板９１ａ，９１ｂの開口部９４の横幅ｓ１，ｓ２（ただしｓ１＝ｓ２）と同じ値、例えば７２ｍｍに設定する。
本体部６の周壁部６７の上面部６７ａの突縁部６９ａと下面部６７ｂの突縁部６９ｂとの間隔Ｘは、図１２（２）（４）に示すように、第１の基板９１ａの開口部９４の縦幅ｔ１より大きく、第２の基板９１ｂの開口部９４の縦幅ｔ２以下の値（ｔ１＜Ｘ≦ｔ２）、例えば６１．６ｍｍ以下に設定される。突縁部６９ａ，６９ｂの突出長さＬ（図１３に示す）は、第１の基板９１ａの厚みｔ１と第２の基板９２ｂの厚みｔ２との差、例えば４．１ｍｍとする（Ｌ＝ｔ２−ｔ１）。
【００３４】
この実施形態における第１の基板９１ａ（図１２（１））は薄いので、図１２（２）に示すように、前面枠部７の突壁部７１を第１の基板９１ａの開口部９４に前面より嵌入すると、前面枠部７の前縁部７２は開口部９４の前面の開口縁上に被さって表示窓７０が形成され、前面枠部７の突壁部７１は第１の基板９１ａの開口部９４に緊密に嵌合する。本体部６の周壁部６７を、第１の基板９１ａの後面より突き出た前面枠部７の突壁部７１の外側へ嵌合すると、図１３（１）に示すように、周壁部６７の上面部６７ａおよび下面部６７ｂの各突縁部６９ａ，６９ｂが第１の基板９１ａの後面に突き当たり、この状態で本体部６と前面枠部７とが結合される。この結合状態では、周壁部６７の両側面部６７ｃ，６７ｄと基板９１ａの後面との間には突縁部６９ａ，６９ｂの長さＬに相当する隙間ｕが生じるが、隙間ｕは微小であるため問題とならない。
【００３５】
第１の基板９１ａより厚い第２の基板９１ｂ（図１２（３））については、図１２（４）に示すように、前面枠部７の突壁部７１を第２の基板９１ｂの開口部９４に前面より嵌入すると、前面枠部７の突壁部７１は第２の基板９１ｂの開口部９４に緩やかに嵌合し、突壁部７１の上面および下面と第２の基板９１ｂの開口縁との間にそれぞれ隙間ｖが生じる。本体部６の周壁部６７を前面枠部７の突壁部７１の外側に嵌合すると、図１３（２）に示すように、周壁部６７の上面部６７ａおよび下面部６７ｂの各突縁部６９ａ，６９ｂが隙間ｖに侵入し、この状態で本体部６と前面枠部７とが結合される。突縁部６９ａ，６９ｂの突出長さＬを第１、第２の各基板９１ａ，９１ｂの厚みの差（ｔ２−ｔ１）に合わせると、第１の基板９１ａの前面から本体部６の後端に至る長さＤ１と、第２の基板９１ｂの前面から本体部６の後端に至る長さＤ２とは一致する（Ｄ１＝Ｄ２）。
【００３６】
上記した構成によると、ネジ３６により本体部６と前面枠部７とを一体化する場合に、基板９１ａ，９１ｂの厚みが異なっていても、ネジ３６と前面枠部７のネジ穴３７との噛み合い状態が均一となり、筐体３０の組立状態がばらついたり、ネジ３６の締付け不良が発生したりすることがなく、また、ロックプレート２１に対して後述するスリット３５の位置がずれるおそれがない。
【００３７】
表示窓機構３１の筐体３０のカバー部６１の下部には、図７に示すように、ロックプレート２１の回動に伴ってロックプレート２１の先端部が出入りするスリット３５が開口している。スリット３５は、起立したロックプレート２１の先端部と対向する下面ｘに形成された第１のスリット３５ｘと、ロックプレート２１の先端部が倒れる側面ｙに形成された第２のスリット３５ｙとを含んでいる。第２のスリット３５ｙは第１のスリット３５ｘとほぼ直角をなし、第１、第２の各スリット３５ｘ，３５ｙは互いに連通している。第１、第２の各スリット３５ｘ，３５ｙの溝幅は、ロックプレート２１の厚みよりわずかに大きな値に設定されている。
【００３８】
図６（１）（２）に示されるように、錠本体２の筐体２０と表示窓機構３１の筐体３０は基板９１ａの裏面上に上下に並べて取り付けられる。筐体３０は筐体２０の真上位置であって筐体２０に隣接する位置に位置決めされる。錠本体２のロックプレート２１は、撮み４２が「開」の位置にあるとき（図２参照）、上方へ起立した姿勢であり、ロックプレート２１の鉤状の先端部がスリット３５の第１のスリット３５ｘから表示窓機構３１の筐体３０の内部に入り込んでいる（図４参照）。
【００３９】
表示窓機構３１の筐体３０の内部には、カード８の挿脱に応動する規制機構５と、規制機構５の応動によってスリット３５を開閉するシャッター５０とが設けられている。シャッター５０は第２のスリット３５ｙの内側位置に傾動可能に支持されている。カード８が未挿入の図６（１）の状態では、シャッター５０は第２のスリット３５ｙを内側より塞いでいる。これにより筐体３０からのロックプレート２１の脱出が阻止されるので、撮み４２を回すことができない。カード８が挿入されている図６（２）の状態では、シャッター５０はスリット３５ｙを開放している。これにより筐体３０からのロックプレート２１の脱出が許容されるので、撮み４２を回すことが可能である。図６（１）は施錠操作が規制された状態を、図６（２）は規制が解錠された状態を、それぞれ示している。
【００４０】
この実施態様の規制機構５は、図６（１）（２）および図１４に示すように、カード８の挿入を検知するための検知片５４と、検知片５４による検知動作に応動してシャッター５０を開閉動作させる駆動機構５８とを備えている。検知片５４は、カード支持板６４に形成された貫通孔６４ｂよりカード保持部６６に対して下端部が出没するもので、上端部に一体に設けられた枢軸５５の両端部が軸受（図示せず）により回動自由に支持されている。
【００４１】
枢軸５５には、検知片５４と略直角をなす作動片５７が軸止されている。作動片５７は、シャッター５０の上端部に一体に設けられた突軸５１の下面と交差して当接している。シャッター５０には支え軸５２と係合する切溝５６が形成されており、支え軸５２を支点としてシャッター５０が傾動可能となっている。
【００４２】
シャッター５０には図示しないバネが装着されている。このバネによってシャッター５０は第２のスリット３５ｙを塞ぐ方向へ付勢される。図６（１）に示すように、シャッター５０が垂直な姿勢のとき、突軸５１は検知片５４の作動片５７を押下し、検知片５４が傾動し、図８に示すように、検知片５４の下端部は貫通孔６４ｂよりカード支持面６４ａ上へ突出する。
【００４３】
カード保持部６６にカード８が挿入されて検知片５４が押されると、作動片５７が突軸５１を押し上げるので、図６（２）に示すように、シャッター５０が支え軸５２を支点として傾動し、第２のスリット３５ｙを開放する。カード保持部６６よりカード８が抜かれると、バネ力によりシャッター５０および検知片５４は図６（１）および図８に示す待機状態に復帰動作する。
【００４４】
この実施形態では、作動片５７、突軸５１、およびバネにより駆動機構５８が構成されるが、駆動機構５８は、検知片５４による検知動作に応動してシャッター５０を開閉動作させることができるものであれば、図示の構造のものに限定されるものではない。また、カードの挿入を検知する部材としての検知片５４も上記した形態に限定されない。
さらに、この実施形態は、カード保持部６６に対するカード８の挿脱を機械的に検知しているが、光電センサなどを用いて電気的に検知することも可能であり、この場合は、シャッター５０を電磁ソレノイドなどを用いて電気的に開閉動作させる。
【００４５】
上記したロッカー用錠装置１において、施錠操作制御装置３のカード保持部６６にカード８が保持されていない状態では、スリット３５の第２のスリット３５ｙはシャッター５０により閉じられており、ロックプレート２１は第２のスリット３５ｙから筐体３０外へ脱出できない状態にある。この状態のとき、操作機構４の撮み４１を回して施錠しようとしても、ロックプレート２１を回動させることができず、撮み４１による施錠操作が規制される。
【００４６】
カード挿入口６５よりカード８が挿入されると、検知片５４がカード８により押され、規制機構５の駆動機構５８が検知片５４の検知動作に応動してシャッター５０を開き、ロックプレート２１はスリット３５から筐体３０外へ脱出できる状態になる。この状態のとき、操作機構４の撮み４１を回すと、ロックプレート２１を回動させることができ、撮み４１による施錠操作が可能である。カード保持部６６にカード８が保持されると、表示窓７０からカード８の表面を視認することができる。
【符号の説明】
【００４７】
１    ロッカー用錠装置
２    錠本体
３    施錠操作制御装置
６    本体部
７    前面枠部
３０  筐体
６５  カード挿入口
６６  カード保持部
６７  周壁部
６８ａ  上面部
６７ｂ  下面部
６８  周壁部
６９ａ，６９ｂ  突縁部
７０  表示窓
７１  突壁部
７２  前縁部
７３  透明板
９１ａ，９１ｂ  基板
９４  開口部
【図１】
2019107091.tif 000003
【図２】
2019107091.tif 000004
【図３】
2019107091.tif 000005
【図４】
2019107091.tif 000006
【図５】
2019107091.tif 000007
【図６】
2019107091.tif 000008
【図７】
2019107091.tif 000009
【図８】
2019107091.tif 000010
【図９】
2019107091.tif 000011
【図１０】
2019107091.tif 000012
【図１１】
2019107091.tif 000013
【図１２】
2019107091.tif 000014
【図１３】
2019107091.tif 000015
【図１４】
2019107091.tif 000016